(57)【要約】      （修正有）【課題】傘を挿入した状態や傘を抜いた状態において効率良く乾燥させることができる吸水傘袋を提供する。【解決手段】長手方向の基端部に挿入口部Ｓを有する細長袋状体を備えてなり、その細長袋状体内に前記挿入口部Ｓから傘Ｕが挿入されて収容され得る傘袋であって、前記細長袋状体の前記挿入口部Ｓ付近における内側部のうち少なくとも所定範囲が、吸水材料Ｐが設けられて細長袋状体外に露出する露出吸水部Ｅであり、前記露出吸水部Ｅは、主に挿入口部Ｓから細長袋状体内に傘Ｕが挿入される際に、その傘Ｕに随伴する水を前記吸水材料Ｐにより吸収する。【選択図】図１
2020036721.tif 000002
【特許請求の範囲】
【請求項１】
長手方向の基端部に挿入口部を有する細長袋状体を備えてなり、その細長袋状体内に前記挿入口部から傘が挿入されて収容され得る傘袋であって、
前記細長袋状体の前記挿入口部付近における内側部のうち少なくとも所定範囲が、吸水材料が設けられ細長袋状体外に露出する露出吸水部であり、
前記露出吸水部は、主に挿入口部から細長袋状体内に傘が挿入される際に、その傘に随伴する水を前記吸水材料により吸収するためのものである
ことを特徴とする吸水傘袋。
【請求項２】
上記細長袋状体内に、露出吸水部以外に、吸水材料が設けられた非露出吸水部を有する請求項１記載の吸水傘袋。
【請求項３】
上記細長袋状体の挿入口部付近における内側部に、露出吸水部及び非露出吸水部を有する請求項２記載の吸水傘袋。
【請求項４】
上記細長袋状体の挿入口部付近における内側部に、露出吸水部と非露出吸水部を、それらが隣接した状態で有する請求項３記載の吸水傘袋。
【請求項５】
上記細長袋状体の挿入口部付近における内側部に、周方向の何れの位置にも露出吸水部及び非露出吸水部の少なくとも何れかを有する請求項３又は４記載の吸水傘袋。
【請求項６】
上記細長袋状体内の先端部に非露出吸水部を有する請求項２乃至５の何れか１項に記載の吸水傘袋。
【請求項７】
上記露出吸水部が、挿入口部から細長袋状体の軸線方向における外方に出た状態で細長袋状体外に露出するものである請求項１乃至６の何れか１項に記載の吸水傘袋。
【請求項８】
上記吸水材料が、略円柱形状をなし、０．０３乃至３デニールの吸水性に乏しい単繊維が、パイル形成体の軸線を中心としてほぼ径方向に放射状をなすように密設され且つ軸線方向に密設されてなり、その略円柱形状外周面は、前記単繊維の先端部により形成されているパイル形成体からなるパイル状の吸水材料である請求項１乃至７の何れか１項に記載の吸水傘袋。
【発明の詳細な説明】
【技術分野】
【０００１】
本発明は、細長袋状体内に傘を挿入して収容する吸水傘袋に関する。
【背景技術】
【０００２】
特開２０１２−２４２０８号公報には、細長袋状体Ｂの基端部に、内側に挿入口吸水部Ｅが形成された挿入口部Ｃを有し、細長袋状体Ｂの先端部は、開口可能な閉塞部Ｕであり、内側に吸水材料からなる先端側吸水部Ｍが形成され、前記細長袋状体Ｂの内側における前記挿入口部Ｃと先端部の間には吸水材料からなる吸水部を有しない傘袋の発明が記載されている。
【０００３】
この傘袋は、挿入口部Ｃの内側に吸水材料からなる挿入口吸水部Ｅが形成されているので、雨に濡れた傘を閉じた状態で挿入口部Ｃを通じて細長袋状体Ｂ内に挿入する際に、その傘の外側に随伴する水は、挿入口吸水部Ｅにおいて少なくとも相当部分が吸水され得る。
【０００４】
吸水した挿入口吸水部Ｅを確実に乾燥させるには、挿入した傘を引き抜くことが望ましく、更には、基端側切込状部Ｄを開いてパイル状吸水材料Ｐからなる挿入口吸水部Ｅをできるだけ大きく外部に開放することにより効率的に乾燥させることが望ましい。
【０００５】
しかしながら、濡れた傘を挿入して傘袋を持ち運ぶ状態や自動車内等に傘袋を掛けた状態、或いは濡れた傘を抜いて傘袋を持ち運ぶ状態や自動車内等に傘袋を掛けた状態では、挿入口吸水部Ｅの乾燥は効果的ではない。
【先行技術文献】
【特許文献】
【０００６】
【特許文献１】特開２０１２−２４２０８号公報
【発明の概要】
【発明が解決しようとする課題】
【０００７】
本発明は、挿入口部付近における内側部に設けられ、雨等の水で濡れた傘を挿入口部から挿入する場合にその傘に随伴する雨水等を吸水し得る吸水部を、濡れた傘を挿入して傘袋を持ち運ぶ状態や自動車内等に傘袋を掛けた状態、或いは濡れた傘を抜いて傘袋を持ち運ぶ状態や自動車内等に傘袋を掛けた状態においても効率良く乾燥させることができる吸水傘袋を提供することを目的とする。
【課題を解決するための手段】
【０００８】
本発明の吸水傘袋は、次のように表すことができる。
【０００９】
(1) 長手方向の基端部に挿入口部を有する細長袋状体を備えてなり、その細長袋状体内に前記挿入口部から傘が挿入されて収容され得る傘袋であって、
前記細長袋状体の前記挿入口部付近における内側部のうち少なくとも所定範囲が、吸水材料が設けられ細長袋状体外に露出する露出吸水部であり、
前記露出吸水部は、主に挿入口部から細長袋状体内に傘が挿入される際に、その傘に随伴する水を前記吸水材料により吸収するためのものであることを特徴とする吸水傘袋。
【００１０】
雨等の水で濡れた傘を挿入口部から細長袋状体内に収容する場合、細長袋状体の挿入口部付近における内側部のうち少なくとも所定範囲の吸水材料が設けられた露出吸水部において、収容する傘に随伴する雨水等を吸水し得る。
【００１１】
雨水等を吸水した露出吸水部は、細長袋状体外に露出する状態であるから、濡れた傘を挿入して傘袋を持ち運ぶ状態や自動車内等に傘袋を掛けた状態、或いは濡れた傘を抜いて傘袋を持ち運ぶ状態や自動車内等に傘袋を掛けた状態においても乾燥の効率が良い。
【００１２】
(2) 上記細長袋状体内に、露出吸水部以外に、吸水材料が設けられた非露出吸水部を有する上記(1)記載の吸水傘袋。
【００１３】
(3) 上記細長袋状体の挿入口部付近における内側部に、露出吸水部及び非露出吸水部を有する上記(2)記載の吸水傘袋。
【００１４】
(4) 上記細長袋状体の挿入口部付近における内側部に、露出吸水部と非露出吸水部を、それらが隣接した状態で有する上記(3)記載の吸水傘袋。
【００１５】
(5) 上記細長袋状体の挿入口部付近における内側部に、周方向の何れの位置にも露出吸水部及び非露出吸水部の少なくとも何れかを有する上記(3)又は(4)記載の吸水傘袋。
【００１６】
(6) 上記細長袋状体内の先端部に非露出吸水部を有する上記(2)乃至(5)の何れか１項に記載の吸水傘袋。
【００１７】
(7) 上記露出吸水部が、挿入口部から細長袋状体の軸線方向における外方に出た状態で細長袋状体外に露出するものである上記(1)乃至(6)の何れか１項に記載の吸水傘袋。
【００１８】
(8) 上記吸水材料が、略円柱形状をなし、０．０３乃至３デニールの吸水性に乏しい単繊維が、パイル形成体の軸線を中心としてほぼ径方向に放射状をなすように密設され且つ軸線方向に密設されてなり、その略円柱形状外周面は、前記単繊維の先端部により形成されているパイル形成体からなるパイル状の吸水材料である上記(1)乃至(7)の何れか１項に記載の吸水傘袋。
【発明の効果】
【００１９】
本発明の吸水傘袋においては、雨等の水で濡れた傘を挿入口部から細長袋状体内に収容する場合、細長袋状体の挿入口部付近における内側部のうち少なくとも所定範囲の吸水材料が設けられた露出吸水部において、収容する傘に随伴する雨水等を吸水し得、その露出吸水部は、細長袋状体外に露出する状態であるから、濡れた傘を挿入して傘袋を持ち運ぶ状態や自動車内等に傘袋を掛けた状態、或いは濡れた傘を抜いて傘袋を持ち運ぶ状態や自動車内等に傘袋を掛けた状態においても乾燥の効率が良い。
【図面の簡単な説明】
【００２０】
【図１】傘を収容した吸水傘袋の正面図である。
【図２】吸水傘袋の正面図である。
【図３】吸水傘袋の背面図である。
【図４】開口部を開いた状態の吸水傘袋の正面図である。
【図５】開口部を開いた状態の吸水傘袋の下方部の正面側斜視図である。
【図６】開口部を開いて先端袋状部を露出させた状態の平面図である。
【発明を実施するための形態】
【００２１】
[1] 本発明の実施の形態を、図面を参照しつつ説明する。
【００２２】
図面は何れも本発明の吸水傘袋の実施の形態の一例についてのものである。
【００２３】
(1) この吸水傘袋は、ポリエステル布製で少なくとも内側から外側への防水処理が施された折り畳み可能な細長袋状体Ａを備える。細長袋状体Ａの背面側の上端部及び上下中間部に、折り畳んだ状態で固定するための、互いに着脱し得る固定部Ｋ１及び固定部Ｋ２が設けられている。
【００２４】
(2) 細長袋状体Ａは、長手方向の基端部に挿入口部Ｓを開口し、挿入口部Ｓから先端部に向かって一定の直線に沿い、先細状をなし、挿入口部Ｓから細長袋状体Ａ内に１本又は２本の傘Ｕ（折り畳みでない傘Ｕ）が挿入されて収容され得るものである。
【００２５】
細長袋状体Ａの挿入口部Ｓは、長手方向を上下方向とした場合に、正面側が低く、正面側の中央部から背面側の中央部に向かって傾斜状に漸次高くなるよう形成されており、細長袋状体Ａの内側部のうち挿入口部Ｓの正面側の中央部よりも高い部分は、細長袋状体Ａ外に露出する部分である。
【００２６】
細長袋状体Ａ内の先端部は、開口せず挿入口部Ｓ側にのみ通じる先端袋状部Ｂである。
【００２７】
細長袋状体Ａは、不使用時における内部の乾燥や洗濯等のために、正面中央部が挿入口部Ｓから長手方向に先端袋状部Ｂの上側まで線ファスナにより開閉可能な開口部Ｎを有する。
【００２８】
また、細長袋状体Ａは、挿入口部Ｓの左右それぞれ、及び、挿入口部Ｓと長手方向中間部の間の位置の左右それぞれに、連結環Ｒを有し、手提げや肩掛けのため又は適宜箇所に吊り下げるための吊下紐Ｔを、それらの連結環Ｒに連結し得る。
【００２９】
(3) 細長袋状体Ａの内側部のうち、長手方向を上下方向とした場合における挿入口部Ｓの正面中央部よりも４ｃｍ程度低い位置の全周と挿入口部Ｓの正面側の中央部から背面側の中央部に向かって傾斜状に漸次高くなる開口縁部Ｓ１の全周の間の全面にわたり、パイル状の吸水材料Ｐが設けられている。
【００３０】
細長袋状体Ａの挿入口部Ｓ付近における吸水材料Ｐが設けられた内側部のうち、前記のように細長袋状体Ａ外に露出する部分が、露出吸水部Ｅであり、それ以外の部分が非露出吸水部Ｆである。
【００３１】
挿入口部Ｓ付近における露出吸水部Ｅ及び非露出吸水部Ｆは、主に挿入口部Ｓから細長袋状体Ａ内に傘Ｕが挿入される際に、その傘Ｕに随伴する雨水等の水を吸水材料Ｐにより吸収するためのものである。
【００３２】
雨水等を吸水した露出吸水部Ｅは、細長袋状体Ａ外に露出する状態であるから、効率良く乾燥し得る。
【００３３】
挿入口部Ｓ付近における吸水した非露出吸水部Ｆは、開口部Ｎが開口していない状態、すなわち細長袋状体Ａ外に露出しなくても、細長袋状体Ａの挿入口部Ｓ付近における内側部に位置するため比較的に乾燥し易く、露出吸水部Ｅの乾燥により、その露出吸水部Ｅに隣接する非露出吸水部Ｆの乾燥も比較的にし易くなる。
【００３４】
また、先端袋状部Ｂの内側の全面にわたり、パイル状の吸水材料Ｐが設けられて非露出吸水部Ｆを構成する。挿入口部Ｓが上方に位置する状態で細長袋状体Ａ内に挿入された傘Ｕに随伴し：、挿入口部Ｓ付近の露出吸水部Ｅ又は非露出吸水部Ｆにおいて吸水し切れなかった水を、先端袋状部Ｂの非露出吸水部Ｆにおいて吸水し得るものである。
【００３５】
(4) 露出吸水部Ｅ及び非露出吸水部Ｆにおけるパイル状の吸水材料Ｐは、基布に基部が結合され、先端部が自由端であるパイル形成体であって、芯糸に対し、互いに撚り合わさっていない状態の多数の飾り糸としての０．０８デニールの吸水性に乏しいポリエステル単繊維を、その飾り糸の中間部において、前記芯糸に対し横方向状をなすように保持したモール糸を用い、そのモール糸が折り返された２条のモール糸が、各条のモール糸の芯糸を中心として撚り合わさり、その撚り合わさった部分が、折り返された箇所を先端端とする１本のモール糸状をなし、前記先端部は、前記芯糸の先端部からほぼ放射状をなすように密設された飾り糸としての単繊維の先端部により略凸曲面状をなすものである。
【００３６】
このようなパイル形成体からなるパイル状の吸水材料Ｐを露出吸水部Ｅ及び非露出吸水部Ｆに用いることにより、挿入口部Ｓから細長袋状体Ａ内に傘Ｕが挿入される際に、その傘Ｕに随伴する雨水等の水を効果的に吸収し得、而も、水分を吸収した状態の露出吸水部Ｅは、その吸水材料Ｐを構成するパイル形成体の外周面部が比較的乾燥した状態を維持し易いため、細長袋状体Ａ外に露出するものでありながら、比較的乾燥した状態が維持され易い。
【００３７】
[2] 本発明の実施の形態を、上記以外の形態を含めて更に説明する。
【００３８】
(1) 本発明の吸水傘袋は、細長袋状体を備えてなる。
【００３９】
(2) 細長袋状体は、長手方向の基端部に挿入口部を有し、挿入口部から細長袋状体内に傘が挿入されて収容され得るものである。収容し得る傘の本数は通常は１本とすること又は２本までとすることができるが、必ずしもこれらに限らない。収容し得る傘の種類としては、折り畳みでない傘（長傘）が一般的であるが、折り畳み傘に適した寸法・形状のものとすることもできる。
【００４０】
細長袋状体の形状は、直線に沿ったものであることが好ましく、長手方向の基端部である挿入口部から先端部に向かって先細状とすることができるが、必ずしもこれに限らず、例えば一定幅又は太さとすることもできる。
【００４１】
細長袋状体は、布（例えばポリエステル等の合成繊維布製）又はその他の可撓性材料からなるものとすることができ、少なくとも内側から外側への防水処理が施されたものであること、及び、折り畳み又は巻くことが可能なものであることが好ましい。
【００４２】
細長袋状体は、不使用時における内部の乾燥や洗濯等のために全体又は一部を開口し得るものとすることができる。例えば挿入口部から長手方向に先端部側に向かって線ファスナ等により全長にわたり（又は所定部分を）開閉可能な開口部を有するものとすることができる。或いは例えば、細長袋状体の長手方向の先端部を、線ファスナ等により開閉可能とすることもできる。
【００４３】
また、細長袋状体は、手提げや肩掛けのため又は適宜箇所に吊り下げるための吊り下げ紐、連結環、フック等を備えるものであってもよい。
【００４４】
(3) 細長袋状体の挿入口部付近における内側部のうち少なくとも所定範囲が、吸水材料が設けられ細長袋状体外に露出する露出吸水部である。
【００４５】
露出吸水部は、主に挿入口部から細長袋状体内に傘が挿入される際に、その傘に随伴する雨水等の水を吸水材料により吸収するためのものである。
【００４６】
露出吸水部は、例えば、挿入口部から細長袋状体の軸線方向における外方に出た状態（外方に突出又は食み出した状態）で細長袋状体外に露出するものとすることができる他、細長袋状体において前記所定範囲に相対する部分が欠如（例えば挿入口部から先端側への切欠き、透孔などによる欠如）した状態（その部分にメッシュ状部等が形成されて実質上欠如した状態を含む）で、その欠如部を通じて吸水条体において乾燥が可能なように細長袋状体外に露出するものとすることもできる。
【００４７】
(4) 細長袋状体内には、露出吸水部以外に、吸水材料が設けられた非露出吸水部を有するものとすることができる。
【００４８】
非露出吸水部は、細長袋状体内のうち、（開閉可能な開口部を有する場合はそれが開口していない状態において）細長袋状体外に露出しない部分に吸水材料が設けられてなる。
【００４９】
細長袋状体の挿入口部付近における内側部には、露出吸水部及び非露出吸水部（例えば、長手方向における１乃至１０ｃｍ程度の幅の部分、好ましくは２乃至６ｃｍ程度の幅の部分）を有するものとすることができる。挿入口部から細長袋状体内に傘が挿入される際に、その傘に随伴する雨水等の水を吸水材料によって確実に吸収し、また、吸水した非露出吸水部が、（開閉可能な開口部を有する場合はそれが開口していない状態において）細長袋状体外に露出しなくても細長袋状体の挿入口部付近における内側部に位置するため比較的に乾燥し易いためである。
【００５０】
細長袋状体の挿入口部付近における内側部には、露出吸水部と非露出吸水部を、それらが隣接した状態（例えば連続状に又は近接して）で有することが好ましい。細長袋状体を裏返したり開口部を有する場合に開口状態としなくても、露出吸水部の乾燥により、その露出吸水部に隣接する非露出吸水部を比較的に乾燥し易くするためである。
【００５１】
また、細長袋状体の挿入口部付近における内側部には、周方向（好ましくは一定の長手方向位置における周方向）の何れの位置にも露出吸水部及び非露出吸水部の少なくとも何れかを有することが好ましい。挿入口部から細長袋状体内に傘が挿入される際に、その傘に随伴する雨水等の水を吸水材料によってより確実に吸収するためである。
【００５２】
また、細長袋状体内の先端部（一般的な使用状態における下端部）に非露出吸水部を有するものとすることにより、挿入口部が上方に位置する状態で細長袋状体内に挿入された傘に随伴し、挿入口部付近の露出吸水部又は非露出吸水部において吸水し切れなかった水を細長袋状体内の先端部である下方に位置する非露出吸水部において吸水することができる。細長袋状体内の先端部は、開口部等により開口せず挿入口部側にのみ通じる袋状部とすることにより外部への水漏れをより確実に防ぎ得るものとすることができる。
【００５３】
(5) 本発明における露出吸水部及び非露出吸水部における吸水材料としては、例えば、次のようなパイル形成体からなるパイル状の吸水材料を用いることができるが、これに限るものではない。
【００５４】
(5-1) このパイル形成体は、略円柱形状をなし、０．０３乃至３デニール（好ましくは０．０５乃至１デニール）の吸水性に乏しい単繊維が、パイル形成体の軸線を中心としてほぼ径方向に放射状をなすように密設され且つ軸線方向に密設されてなり、その略円柱形状外周面は、前記単繊維の先端部により形成されている。
【００５５】
パイル形成体における単繊維の密度はパイル形成体の表面部から内方部に向かうほど高くなり、毛管現象により、パイル形成体の内方部に向かって強い吸液力が作用するので、パイル状吸水材料は、単繊維の先端部が位置する表面部からパイル形成体の内方部に向かって迅速に比較的多量の水（他の成分を含有する水又はその他の液体でもよい）を吸収し得る。
【００５６】
このように吸水したパイル形成体の外周部は、毛管現象により、水分含有率が低い状態となり、而も、同外周面部は、吸水性に乏しい単繊維の先端部により形成されているので、繊維が占める面積が比較的小さく、且つ繊維自体が非湿潤状態を維持する。そのため、水分を吸収した状態の前記外周面部は比較的乾燥した状態を維持し易い。
【００５７】
上記パイル形成体の一例としては、細長袋状体の内側に接合された基布に基部が結合され、先端部が自由端であるパイル形成体であり、前記先端部が、芯糸の先端部からほぼ放射状をなすように密設された飾り糸としての単繊維の先端部により略凸曲面状をなすものを挙げることができる。
【００５８】
このようなパイル形成体からなるパイル状の吸水材料を露出吸水部に用いることにより、主に挿入口部から細長袋状体内に傘が挿入される際に、その傘に随伴する雨水等の水を効果的に吸収し得、而も、水分を吸収した状態の露出吸水部は、その吸水材料を構成するパイル形成体の外周面部が比較的乾燥した状態を維持し易いため、細長袋状体外に露出するものでありながら、比較的乾燥した状態が維持され易い。
【００５９】
(5-2) このようなパイル形成体は、芯糸に対し、互いに撚り合わさっていない状態の多数の飾り糸としての０．０３乃至３デニールの吸水性に乏しい単繊維を、その飾り糸の中間部において、前記芯糸に対し横方向状をなすように保持したモール糸を用い、そのモール糸が折り返された２条のモール糸が、各条のモール糸の芯糸を中心として撚り合わさり、その撚り合わさった部分が、折り返された箇所を先端部とする１本のモール糸状をなし、前記先端部は、前記芯糸の先端部からほぼ放射状をなすように密設された飾り糸としての単繊維の先端部により略凸曲面状をなすものとすることができる。
【００６０】
(5-3) 吸水性に乏しい単繊維の吸水率としては、２０℃相対湿度６５％において、例えば３％以下とすることができる。好ましくは、２０℃相対湿度６５％において２％以下、より好ましくは１％以下である。そのような単繊維としては、例えば、ポリエステル系繊維、ポリプロピレン系繊維、ポリエチレン系繊維、ポリアミド系繊維等のフィラメントからなるものとすることができ、必要に応じ、全単繊維又は一部の単繊維の全体又は部分に各種界面活性剤等により親水化処理を施すこともできる。
【００６１】
単繊維の繊度は、好ましくは０．０３乃至２デニール、より好ましくは０．０３乃至１．５デニールであり、１．２デニール以下、１デニール以下、又は０．８デニール以下とすることもできる。
【００６２】
この場合の飾り糸としての単繊維は、前記撚り合わさった部分の軸線方向長１ｃｍ当り、例えば１万乃至２５万本程度（単繊維の繊度の大小に応じ、本数は、それぞれ少な目及び多目とすることができる。単繊維が０．７デニールの場合、撚り合わさった部分の軸線方向長１ｃｍ当り、例えば５万本程度。）が、その撚り合わさった部分の軸線を中心としてほぼ径方向に放射状をなすように密設され且つ軸線方向に密設されたものとすることができる。
【００６３】
前記芯糸としては、例えば、１０乃至３００デニールのモノフィラメント糸、紡績糸、又はマルチフィラメント撚糸を挙げることができるが、これに限るものではない。前記熱融着糸を用いることもできる。芯糸の素材としては、例えば、ポリエステル系繊維、ポリプロピレン系繊維、ポリエチレン系繊維、ポリアミド系繊維を挙げることができるが、これに限るものではない。
【符号の説明】
【００６４】
Ａ      細長袋状体
Ｂ      先端袋状部
Ｅ      露出吸水部
Ｆ      非露出吸水部
Ｋ１    固定部
Ｋ２    固定部
Ｎ      開口部
Ｐ      吸水材料
Ｒ      連結環
Ｓ      挿入口部
Ｓ１    開口縁部
Ｔ      吊下紐
Ｕ      傘
【図１】
2020036721.tif 000003
【図２】
2020036721.tif 000004
【図３】
2020036721.tif 000005
【図４】
2020036721.tif 000006
【図５】
2020036721.tif 000007
【図６】
2020036721.tif 000008